(57)【特許請求の範囲】
【請求項１】
所定の周期で放送される一連の番組の録画を予約する予約装置において、
前記一連の番組を特定するための番組表に含まれる一連の番組の番組情報に所定の特殊文字が含まれるか否かを判定する文字判定部と、
該文字判定部が前記番組表に含まれる一連の番組の番組情報に所定の特殊文字が含まれると判定した場合、前記特殊文字が含まれる一連の番組の録画の予約を開始する予約開始部と、
前記予約開始部が録画の予約を開始した複数の一連の番組について番組に基づく画像を表示させる番組表示部と、
前記番組表示部に表示される前記複数の一連の番組について、前記一連の番組の番組情報及び時計部で計時した時刻に基づいて、前記所定の特殊文字が含まれる一連の番組が放送される前であるか否かを判定する判定部とを備え、
前記番組表示部は、前記判定部で前記所定の特殊文字が含まれる一連の番組が放送される前であると判定した場合、前記番組に基づく画像の代わりに、第１話放送前に関する情報を表示させる
予約装置。
【請求項２】
所定の周期で放送される一連の番組の録画を予約する予約装置において、
前記一連の番組を特定するための番組表に含まれる一連の番組の番組情報に所定の第１特殊文字が含まれるか否かを判定する第１文字判定部と、
該第１文字判定部が前記番組表に含まれる一連の番組の番組情報に所定の第１特殊文字が含まれると判定した場合、前記第１特殊文字が含まれる一連の番組の録画の予約を開始する予約開始部と、
前記番組表に含まれる一連の番組の番組情報に所定の第２特殊文字が含まれるか否かを判定する第２文字判定部と、
前記予約開始部が録画の予約を開始した複数の一連の番組について番組に基づく画像を表示させる番組表示部と、
前記番組表示部に表示される前記複数の一連の番組について、前記一連の番組の番組情報及び時計部で計時した時刻に基づいて、前記所定の第２特殊文字が含まれる一連の番組が放送された後であるか否かを判定する判定部とを備え、
前記番組表示部は、前記判定部で前記所定の第２特殊文字が含まれる一連の番組が放送された後であると判定した場合、前記番組に基づく画像に、最終話放送終了に関する情報を重ねて表示させる
予約装置。
【請求項３】
所定の周期で放送される一連の番組を特定するための番組表に含まれる一連の番組の番組情報に所定の特殊文字が含まれるか否かを判定する文字判定部、及び
該文字判定部が前記番組表に含まれる一連の番組の番組情報に所定の特殊文字が含まれると判定した場合、前記特殊文字が含まれる一連の番組の録画の予約を開始する予約開始部を備える予約装置と、
前記一連の番組を録画する録画部と、
該録画部で録画した一連の番組の内、いずれか１つの番組を再生させる再生部と、
前記録画部で録画した一連の番組の内、いずれか１つの番組を録画してからの時間を計時する計時部と、
該計時部で計時した時間が所定の時間を超えたか否かを判定する時間判定部と、
該時間判定部が前記計時部で計時した時間が所定の時間を超えたと判定した場合、前記録画部で録画した一連の番組の内、いずれか１つの番組を前記再生部で再生させたか否かを判定する再生判定部と、
前記再生部で前記番組を再生させなかったと前記再生判定部で判定した場合、前記録画部で録画した一連の番組を消去する消去部と
を備える録画装置。
【請求項４】
所定の周期で放送される一連の番組の録画を予約する予約装置における予約方法において、
前記一連の番組を特定するための番組表に含まれる一連の番組の番組情報に所定の特殊文字が含まれるか否かを判定し、
前記番組表に含まれる一連の番組の番組情報に所定の特殊文字が含まれると判定した場合、前記特殊文字が含まれる一連の番組の録画の予約を開始し、
録画の予約を開始した複数の一連の番組について番組に基づく画像を表示させ、
表示される前記複数の一連の番組について、前記一連の番組の番組情報及び時刻に基づいて、前記所定の特殊文字が含まれる一連の番組が放送される前であるか否かを判定し、
前記所定の特殊文字が含まれる一連の番組が放送される前であると判定した場合、前記番組に基づく画像の代わりに、第１話放送前に関する情報を表示させる
処理を予約装置が実行する予約方法。
【請求項５】
所定の周期で放送される一連の番組の録画を予約する予約装置における予約方法において、
前記一連の番組を特定するための番組表に含まれる一連の番組の番組情報に所定の第１特殊文字が含まれるか否かを判定し、
前記番組表に含まれる一連の番組の番組情報に所定の第１特殊文字が含まれると判定した場合、前記第１特殊文字が含まれる一連の番組の録画の予約を開始し、
前記番組表に含まれる一連の番組の番組情報に所定の第２特殊文字が含まれるか否かを判定し、
録画の予約を開始した複数の一連の番組について番組に基づく画像を表示させ、
表示される前記複数の一連の番組について、前記一連の番組の番組情報及び時刻に基づいて、前記所定の第２特殊文字が含まれる一連の番組が放送された後であるか否かを判定し、
前記所定の第２特殊文字が含まれる一連の番組が放送された後であると判定した場合、前記番組に基づく画像に、最終話放送終了に関する情報を重ねて表示させる
処理を予約装置が実行する予約方法。
【請求項６】
所定の周期で放送される一連の番組を特定するための番組表に含まれる一連の番組の番組情報に所定の特殊文字が含まれるか否かを判定し、
前記番組表に含まれる一連の番組の番組情報に所定の特殊文字が含まれると判定した場合、前記特殊文字が含まれる一連の番組の録画の予約を開始し、
前記一連の番組を録画し、
録画した一連の番組の内、いずれか１つの番組を再生させ、
前記録画した一連の番組の内、いずれか１つの番組を録画してからの時間を計時し、
計時した時間が所定の時間を超えたか否かを判定し、
計時した時間が所定の時間を超えたと判定した場合、前記録画した一連の番組の内、いずれか１つの番組を再生させたか否かを判定し、
前記番組を再生させなかったと判定した場合、前記録画した一連の番組を消去する
処理を録画装置が実行する録画方法。
【請求項７】
所定の周期で放送される一連の番組の録画を予約する予約装置に用いられるプログラムにおいて、
該予約装置に、
前記一連の番組を特定するための番組表に含まれる一連の番組の番組情報に所定の特殊文字が含まれるか否かを判定し、
前記番組表に含まれる一連の番組の番組情報に所定の特殊文字が含まれると判定した場合、前記特殊文字が含まれる一連の番組の録画の予約を開始し、
録画の予約を開始した複数の一連の番組について番組に基づく画像を表示させ、
表示される前記複数の一連の番組について、前記一連の番組の番組情報及び時刻に基づいて、前記所定の特殊文字が含まれる一連の番組が放送される前であるか否かを判定し、
前記所定の特殊文字が含まれる一連の番組が放送される前であると判定した場合、前記番組に基づく画像の代わりに、第１話放送前に関する情報を表示させる
処理を実行させるプログラム。
【請求項８】
所定の周期で放送される一連の番組の録画を予約する予約装置に用いられるプログラムにおいて、
該予約装置に、
前記一連の番組を特定するための番組表に含まれる一連の番組の番組情報に所定の第１特殊文字が含まれるか否かを判定し、
前記番組表に含まれる一連の番組の番組情報に所定の第１特殊文字が含まれると判定した場合、前記第１特殊文字が含まれる一連の番組の録画の予約を開始し、
前記番組表に含まれる一連の番組の番組情報に所定の第２特殊文字が含まれるか否かを判定し、
録画の予約を開始した複数の一連の番組について番組に基づく画像を表示させ、
表示される前記複数の一連の番組について、前記一連の番組の番組情報及び時刻に基づいて、前記所定の第２特殊文字が含まれる一連の番組が放送された後であるか否かを判定し、
前記所定の第２特殊文字が含まれる一連の番組が放送された後であると判定した場合、前記番組に基づく画像に、最終話放送終了に関する情報を重ねて表示させる
処理を実行させるプログラム。
【請求項９】
所定の周期で放送される一連の番組を特定するための番組表に含まれる一連の番組の番組情報に所定の特殊文字が含まれるか否かを判定し、
前記番組表に含まれる一連の番組の番組情報に所定の特殊文字が含まれると判定した場合、前記特殊文字が含まれる一連の番組の録画の予約を開始し、
前記一連の番組を録画し、
録画した一連の番組の内、いずれか１つの番組を再生させ、
前記録画した一連の番組の内、いずれか１つの番組を録画してからの時間を計時し、
計時した時間が所定の時間を超えたか否かを判定し、
計時した時間が所定の時間を超えたと判定した場合、前記録画した一連の番組の内、いずれか１つの番組を再生させたか否かを判定し、
前記番組を再生させなかったと判定した場合、前記録画した一連の番組を消去する
処理を録画装置に実行させるプログラム。
【発明の詳細な説明】
【技術分野】
【０００１】
本発明は、放送された番組を予約する予約装置等に関する。
【背景技術】
【０００２】
従来、番組表を取得し、取得した番組表に第１回目の放送であることを表す文字が含まれているか否かを判定し、取得した番組表に第１回目の放送であることを表す文字が含まれている場合、所定の周期で放送される一連の番組の録画を予約する技術が知られている（例えば特許文献１）。
【先行技術文献】
【特許文献】
【０００３】
【特許文献１】特開２００７−３３６３１号公報
【発明の概要】
【発明が解決しようとする課題】
【０００４】
しかし、特許文献１に開示された技術では、一連の番組の録画の予約を解除するタイミングが判断できないため、一連の番組が放送を終了した後、同じ放送時間帯に録画の予約をしつづけることで他の番組を録画してしまうという問題がある。
【０００５】
一つの側面では、一連の番組の録画の予約を適切に行うことができる予約装置等を提供することにある。
【課題を解決するための手段】
【０００６】
一態様の予約装置は、所定の周期で放送される一連の番組の録画を予約する予約装置において、前記一連の番組を特定するための番組表に含まれる一連の番組の番組情報に所定の第１特殊文字が含まれるか否かを判定する第１文字判定部と、該第１文字判定部が前記番組表に含まれる一連の番組の番組情報に所定の第１特殊文字が含まれると判定した場合、前記第１特殊文字が含まれる一連の番組の録画の予約を開始する予約開始部と、前記番組表に含まれる一連の番組の番組情報に所定の第２特殊文字が含まれるか否かを判定する第２文字判定部と、該第２文字判定部が前記番組表に含まれる一連の番組の番組情報に所定の第２特殊文字が含まれると判定した場合、前記第２特殊文字が含まれる一連の番組の録画の予約を解除する予約解除部とを備える。
【０００７】
一態様の予約装置は、複数の一連の番組の名称を表示させる番組表示部を備える。
【０００８】
一態様の予約装置は、前記番組表に含まれる一連の番組の番組情報及び時計部で計時した時刻に基づいて所定の第１特殊文字が含まれる一連の番組が放送される前であるか否かを判定する第１判定部と、前記番組表に含まれる一連の番組の番組情報及び時計部で計時した時刻に基づいて所定の第２特殊文字が含まれる一連の番組が放送された後であるか否かを判定する第２判定部とを備え、前記番組表示部は、前記第１判定部で所定の第１特殊文字が含まれる一連の番組が放送される前であると判定した場合、第１話放送前に関する情報を表示させ、前記第２判定部で所定の第２特殊文字が含まれる一連の番組が放送された後であると判定した場合、放送終了に関する情報を表示させる。
【０００９】
一態様の録画装置は、予約装置と、前記一連の番組を録画する録画部と、該録画部で録画された一連の番組の内、いずれか１つの番組を再生させる再生部とを備える。
【００１０】
一態様の録画装置は、前記録画部で録画した一連の番組の内、いずれか１つの番組を録画してからの時間を計時する計時部と、該計時部で計時した時間が所定の時間を超えたか否かを判定する時間判定部と、該時間判定部が前記計時部で計時した時間が所定の時間を超えたと判定した場合、前記再生部で前記録画部で録画した一連の番組の内、いずれか１つの番組を再生させたか否かを判定する再生判定部と、前記再生判定部で前記再生部で前記番組を再生させなかったと判定した場合、前記録画部で録画した一連の番組を消去する消去部とを備える。
【００１１】
一態様の録画装置は、前記録画部で録画した一連の番組の消去又は複製を行う処理部を備える。
【００１２】
一態様のプログラムは、所定の周期で放送される一連の番組の録画を予約する予約装置に用いられるプログラムにおいて、該予約装置に、前記一連の番組を特定するための番組表に含まれる一連の番組の番組情報に所定の第１特殊文字が含まれるか否かを判定し、前記番組表に含まれる一連の番組の番組情報に所定の第１特殊文字が含まれると判定した場合、前記第１特殊文字が含まれる一連の番組の録画の予約を開始し、前記番組表に含まれる一連の番組の番組情報に所定の第２特殊文字が含まれるか否かを判定し、前記番組表に含まれる一連の番組の番組情報に所定の第２特殊文字が含まれると判定した場合、前記第２特殊文字が含まれる一連の番組の録画の予約を解除する処理を実行させる。
【００１３】
一態様の予約方法は、所定の周期で放送される一連の番組の録画を予約する予約装置における予約方法において、前記一連の番組を特定するための番組表に含まれる一連の番組の番組情報に所定の第１特殊文字が含まれるか否かを判定し、前記番組表に含まれる一連の番組の番組情報に所定の第１特殊文字が含まれると判定した場合、前記第１特殊文字が含まれる一連の番組の録画の予約を開始し、前記番組表に含まれる一連の番組の番組情報に所定の第２特殊文字が含まれるか否かを判定し、前記番組表に含まれる一連の番組の番組情報に所定の第２特殊文字が含まれると判定した場合、前記第２特殊文字が含まれる一連の番組の録画の予約を解除する処理を実行させる。
【発明の効果】
【００１４】
一態様によれば、一連の番組の録画の予約を適切に行うことができる。
【図面の簡単な説明】
【００１５】
【図１】本実施形態に係る情報処理システムを説明する説明図である。
【図２】録画装置のハードウェア群を示すブロック図である。
【図３】シリーズ番組情報ＤＢに格納されているデータの一例を示す図である。
【図４】設定情報ＤＢに格納されているデータの一例を示す図である。
【図５】番組情報ＤＢに格納されているデータの一例を示す図である。
【図６】シリーズ番組を選択するための選択画面の一例を示す図である。
【図７】シリーズ番組を録画する設定を示す設定画面の一例を示す図である。
【図８】シリーズ番組内に含まれる各番組を選択する番組選択画面の一例を示す図である。
【図９】シリーズ番組を特定するための番組表の一例を示す図である。
【図１０】本実施形態における情報処理システムの処理手順を示したフローチャートである。
【図１１】本実施形態における情報処理システムの処理手順を示したフローチャートである。
【図１２】シリーズ番組情報ＤＢに格納されているデータの一例を示す図である。
【図１３】選択画面の一例を示す図である。
【図１４】本実施形態における情報処理システムの処理手順を示したフローチャートである。
【図１５】本実施形態における情報処理システムの処理手順を示したフローチャートである。
【図１６】番組情報ＤＢに格納されているデータの一例を示す図である。
【図１７】本実施形態における情報処理システムの処理手順を示したフローチャートである。
【図１８】シリーズ番組を一括で消去するための一括消去欄を表示した選択画面の一例を示す図である。
【図１９】本実施形態における情報処理システムの処理手順を示したフローチャートである。
【図２０】シリーズ番組内の全ての番組を複製するための一括複製欄を表示した選択画面の一例を示す図である。
【図２１】本実施形態における情報処理システムの処理手順を示したフローチャートである。
【発明を実施するための形態】
【００１６】
実施の形態１
以下本実施の形態を、図面を参照して説明する。図１は本実施形態に係る情報処理システムを説明する説明図である。本実施の形態に係る録画装置１は、テレビジョン放送により放送された番組を録画する録画装置である。録画装置１は、テレビジョン受信機又はプロジェクタ等の表示装置２に接続されている。送信機３は各種の操作ボタンによりユーザからの指示を受け付け、受け付けた指示に基づいて録画装置１を操作する操作信号を録画装置１へ送信する。録画装置１は送信機３から送信された操作信号に基づいて番組の録画を予約する。録画装置１は予約に基づいて番組を録画し、録画した番組を表示装置２に表示させる。
【００１７】
図２は録画装置１のハードウェア群を示すブロック図である。図２に示す録画装置１は予約装置１０、光ディスクドライブ１８０及びＨＤＤ（Hard Disc Drive）１８１を備える。予約装置１０はＣＰＵ(Central Processing Unit)１１、記憶部１２、ＲＡＭ１３、受信部１４、インターフェイス１５、チューナ１６、計時部（時計部）１７及びＩＦ部１８を備える。
【００１８】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００１９】
記憶部１２は例えばハードディスクまたは大容量メモリ等である。記憶部１２にはＣＰＵ１１が処理を行う際に必要とする種々のデータ、シリーズ番組情報ＤＢ１２１、設定情報ＤＢ１２２、番組情報ＤＢ１２３及びプログラム１２Ｐを格納する。
【００２０】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００２１】
受信部１４は送信機３からの信号を受信する。受信部１４は、使用者によって操作された送信機３から信号を受信し、ＣＰＵ１１は、受信部１４が受信した信号に応じた処理を実行する。ＩＦ部１８はインターフェイスであり、光ディスクドライブ１８０及びＨＤＤ１８１に接続され、光ディスクドライブ１８０及びＨＤＤ１８１との間で信号の送受信を行う。
【００２２】
チューナ１６は図示しないアンテナに接続され、アンテナを通じて、テレビジョン放送による放送信号を受信する。ＣＰＵ１１は受信した放送信号をチューナ１６から取得し、取得した放送信号をデコードすることにより映像信号を生成する。ＣＰＵ１１は生成した映像信号をエンコードして動画（番組）に変換する。ＣＰＵ１１は変換した番組をＨＤＤ１８１又はＤＶＤドライブもしくはブルーレイディスクドライブ等の光ディスクドライブ１８０に記憶する。なお、ＣＰＵ１１は放送信号をデコードせず、直接番組をＨＤＤ１８１又は光ディスクドライブ１８０に記憶してもよい。また、録画装置１は光ディスクドライブ１８０を備えたが、その他の記憶デバイスを備えた形態であってもよい。またチューナ１６は放送信号を介して提供される番組表５１を受信する。番組表５１には番組に関する情報を示す番組情報が記憶されている。
【００２３】
インターフェイス１５は、例えばＨＤＭＩ（High-Definition Multimedia Interface：登録商標）又はＣＥＣ（Consumer Electronics Control）の規格に従った制御データを表示装置２との間で送受信する。計時部１７は、例えば現在の時点における時刻を計時し、ＣＰＵ１１の要求に従って、計時結果をＣＰＵ１１に出力する。
【００２４】
図３はシリーズ番組情報ＤＢ１２１に格納されているデータの一例を示す図である。シリーズ番組情報ＤＢ１２１はシリーズ番組に関するシリーズ番組情報を記憶するデータベースである。シリーズ番組とは放送局から所定の周期で放送される一連の番組である。所定の周期とは例えば１日、１週間の内月曜日から木曜日、１週間の内月曜日から金曜日又は１週間等である。シリーズ番組情報とは例えば、シリーズ番組の名称、シリーズ番組が放送される放送曜日、シリーズ番組が放送される放送時間、シリーズ番組が放送される放送局、シリーズ番組に出演する出演者、シリーズ番組を録画した回数、シリーズ番組の種類等である。
【００２５】
シリーズ番組情報ＤＢ１２１はシリーズ番組列、曜日列、放送時間列、放送局列、出演者列、録画数列及び種類列等を備える。シリーズ番組列にはシリーズ番組の名称が記憶される。曜日列には放送曜日が記憶される。放送時間列にはシリーズ番組が放送される放送時間が記憶される。放送局列にはシリーズ番組が放送される放送局が記憶される。出演者列にはシリーズ番組に出演する出演者が記憶される。録画数列にはシリーズ番組を録画した回数が記憶される。種類列にはシリーズ番組の種類が記憶される。種類列には例えば、ドラマ又はアニメ等が記憶される。なお、シリーズ番組の種類はドラマ又はアニメに限られず、バラエティ、ドキュメンタリー又は映画等でもよい。ＣＰＵ１１は読み込んだ設定情報に基づいて、番組表５１をチューナ１６から取得する。ＣＰＵ１１は番組表５１に基づいてシリーズ番組列、曜日列、放送時間列、放送局列、出演者列及び種類列が記憶される。ＣＰＵ１１は後述する番組情報ＤＢ１２３からシリーズ番組内の録画数を計数し、計数した録画数を録画列に記憶する。
【００２６】
図４は設定情報ＤＢ１２２に格納されているデータの一例を示す図である。設定情報ＤＢ１２２はシリーズ番組の録画に関する設定を示す設定情報を記憶するデータベースである。設定情報ＤＢ１２２は許否列、放送時間列、放送局列及び種類列等を備える。許否列にはシリーズ番組を録画するか否かを示す許否情報が記憶される。許否列には例えば許可又は禁止が記憶される。許可とはシリーズ番組の録画を許可することを示す。禁止とはシリーズ番組の録画を禁止することを示す。放送時間列にはシリーズ番組を録画する時間帯が記憶される。放送局列にはシリーズ番組を録画する放送局が記憶される。放送局列には例えば「すべての地上デジタル放送のチャンネル」が記憶される。「すべての地上デジタル放送のチャンネル」とは地上デジタル放送を放送する放送局を示す。種類列には録画するシリーズ番組の種類が記憶される。ＣＰＵ１１は後述する設定画面３１で選択を受け付けた設定情報を設定情報ＤＢ１２２に記憶する。
【００２７】
図５は番組情報ＤＢ１２３に格納されているデータの一例を示す図である。番組情報ＤＢ１２３はシリーズ番組に含まれる複数の番組に関する情報を記憶するデータベースである。番組情報ＤＢ１２３はシリーズ番組列、サブタイトル列及び番組列等を備える。シリーズ番組列にはシリーズ番組の名称が記憶される。サブタイトル列にはシリーズ番組内の各番組の名称が記憶される。番組列にはシリーズ番組内の各番組が記憶される。ＣＰＵ１１は番組表５１に基づいてシリーズ番組及びサブタイトルが記憶される。ＣＰＵ１１は計時部１７で計時された現在の時刻が予約したシリーズ番組内の番組を放送する放送時間帯であると判定した場合、予約したシリーズ番組を録画する。ＣＰＵ１１は録画した番組を番組列に記憶する。
【００２８】
図６はシリーズ番組を選択するための選択画面２１の一例を示す図である。選択画面２１はシリーズ番組欄２１Ａ、２１Ｂ及び２１Ｃ等により構成されるシリーズ番組欄２１０を備える。シリーズ番組欄２１０は上部に設けられた番組名欄２１２と、番組名欄２１２の下部に設けられた番組内容欄２１３と、番組内容欄２１３の右部に設けられた録画数欄２１４とを備える。シリーズ番組欄２１０はシリーズ番組を選択するための欄である。番組名欄２１２はシリーズ番組の名称を表示するための欄である。番組内容欄２１３は番組の内容を表示するための欄である。録画数欄２１４はシリーズ番組を録画した回数を表示するための欄である。
【００２９】
選択画面２１の具体的な作用及び動作は以下の通りである。ＣＰＵ１１は選択画面２１の表示を受け付ける。ユーザが送信機３で選択画面２１を表示する操作信号を送信する。ＣＰＵ１１は操作信号を受信し、シリーズ番組情報ＤＢ１２１を参照し、表示装置２に選択画面２１を表示させる。すなわちＣＰＵ１１はシリーズ番組欄２１Ａの番組名欄２１２に「タイトルＡ」を表示させる。ＣＰＵ１１はシリーズ番組欄２１Ａの番組内容欄２１３に「月曜  午後１：００〜  放送局Ａ  出演者Ａ」を表示させる。ＣＰＵ１１はシリーズ番組欄２１Ａの録画数欄２１４に「８」を表示させる。
【００３０】
ＣＰＵ１１はシリーズ番組欄２１Ｂの番組名欄２１２に「タイトルＢ」を表示させる。ＣＰＵ１１はシリーズ番組欄２１Ｂの番組内容欄２１３に「月曜  午後２：００〜  放送局Ｂ  出演者Ｂ」を表示させる。ＣＰＵ１１はシリーズ番組欄２１Ｂの録画数欄２１４に「０」を表示させる。以下、同様であり、簡潔のため記載を省略する。
【００３１】
図７はシリーズ番組を録画する設定を示す設定画面３１の一例を示す図である。設定画面３１は上部に設けられた録画ボタン３２Ａ及び３２Ｂで構成される録画ボタン３２と、録画ボタン３２の下部に設けられた録画対象ボタン３３Ａ及び３３Ｂで構成される録画対象ボタン３３と、録画対象ボタン３３の下部に設けられた放送局選択欄３４と、放送局選択欄３４の下部に設けられた録画時間帯欄３５と、下部に設けられた完了ボタン３７とを備える。録画ボタン３２は録画を行うか否かを選択するためのボタンである。録画対象ボタン３３は録画するシリーズ番組の種類を選択するためのボタンである。放送局選択欄３４は録画する放送局を選択するための欄である。録画時間帯欄３５は録画する時間帯を選択するための欄である。完了ボタン３７は選択画面２１に遷移するためのボタンである。
【００３２】
設定画面３１の具体的な作用及び動作は以下の通りである。ＣＰＵ１１は設定画面３１の表示を受け付ける。ユーザが送信機３で設定画面３１の表示する操作信号を送信する。ＣＰＵ１１は操作信号を受信し、設定情報ＤＢ１２２を参照し、表示装置２に設定画面３１を表示させる。ユーザが送信機３により録画ボタン３２Ａを選択する。ＣＰＵ１１は設定情報ＤＢ１２２の許否列に許可を記憶する。
【００３３】
ユーザが送信機３により録画対象ボタン３３Ａを選択する。ＣＰＵ１１は設定情報ＤＢ１２２の種類列に「ドラマ」を記憶する。ユーザが送信機３により録画対象ボタン３３Ｂを選択する。ＣＰＵ１１は設定情報ＤＢ１２２の種類列に「アニメ」を記憶する。
【００３４】
ユーザが送信機３により放送局選択欄３４に「すべての地上デジタル放送のチャンネル」を選択する。送信機３は放送局選択欄３４に「すべての地上デジタル放送のチャンネル」を選択する操作信号を録画装置１へ送信する。録画装置１のＣＰＵ１１は送信機３から操作信号を受信する。ＣＰＵ１１は設定情報ＤＢ１２２の放送局列に「すべての地上デジタル放送のチャンネル」を記憶する。ＣＰＵ１１は放送局選択欄３４に「すべての地上デジタル放送のチャンネル」を表示させる。
【００３５】
ユーザが送信機３により録画時間帯欄３５に「午後７：００〜午前０：００」を選択する。ＣＰＵ１１は設定情報ＤＢ１２２の放送時間列に「午後７：００〜午前０：００」を記憶する。ＣＰＵ１１は録画時間帯欄３５に「午後７：００〜午前０：００」を表示させる。
【００３６】
ユーザが送信機３により完了ボタン３７を選択する。ＣＰＵ１１は選択画面２１を表示装置２に表示させる。以上の動作によりＣＰＵ１１はシリーズ番組の録画の予約を設定することができる。
【００３７】
図８はシリーズ番組内に含まれる各番組を選択する番組選択画面４１の一例を示す図である。番組選択画面４１は中央に２列設けられた番組選択欄４０Ａ及び４０Ｂ等により構成される番組選択欄４０と、下部に設けられたタイトル欄４３とを備える。番組選択欄４０はシリーズ番組内に含まれる各番組を選択するための欄である。タイトル欄４３はシリーズ番組の名称及びシリーズ番組内に含まれる各番組の名称を表示するための欄である。
【００３８】
番組選択画面４１の具体的な作用及び動作は以下の通りである。ＣＰＵ１１は番組選択画面４１の表示を受け付ける。ユーザが送信機３によりシリーズ番組欄２１Ａを選択し、番組選択画面４１を表示する操作信号を送信する。ＣＰＵ１１は番組情報ＤＢ１２３を参照し、表示装置２に番組選択画面４１を表示させる。すなわち、ＣＰＵ１１は番組選択欄４０Ａのタイトル欄４３にタイトルＡ及びサブタイトル１Ａを表示させる。ＣＰＵ１１は番組選択欄４０Ｂのタイトル欄４３にタイトルＡ及びサブタイトル１Ｂを表示させる。以下、同様であり、簡潔のため記載を省略する。ユーザは送信機３により番組選択欄４０Ａを選択する。ＣＰＵ１１は番組１Ａを表示装置２に再生させる。
【００３９】
図９はシリーズ番組を特定するための番組表５１の一例を示す図である。番組表５１は番組欄５２Ａ、５２Ｂ及び５２Ｃ等で構成される番組欄５２と、番組欄５２内に記載された特殊文字５３Ａ及び５３Ｂ等で構成される特殊文字５２３と、番組欄５２の上部に設けられた曜日欄５４Ａ及び５４Ｂ等で構成される曜日欄５４とを備える。番組欄５２は番組を表示する欄である。特殊文字５２３は所定の文字である。所定の文字とは例えば、新、終、再、第１話、第１回、最終回又は最終話等の文字である。曜日欄５４は曜日を表示するための欄である。なお、番組表５１は図９に表示された情報以外の番組情報を含んでいる。例えば番組表５１は出演者又はシリーズ番組の種類等の情報を含む。
【００４０】
情報処理システムの具体的な作用及び動作は以下の通りである。ＣＰＵ１１は選択画面２１の表示を受け付ける。ユーザが送信機３で選択画面２１を表示する操作信号を送信する。ＣＰＵ１１は操作信号を受信し、シリーズ番組情報ＤＢ１２１を参照し、選択画面２１を表示装置２に表示させる。ＣＰＵ１１は設定画面３１の表示を受け付ける。ユーザが送信機３で設定画面３１の表示する操作信号を送信する。ＣＰＵ１１は操作信号を受信し、設定情報ＤＢ１２２を参照し、表示装置２に設定画面３１を表示させる。
【００４１】
ＣＰＵ１１は設定画面３１で設定情報の選択を受け付ける。ユーザは送信機３により図７に示すように許否情報等の設定情報を選択する。ＣＰＵ１１は選択した許否情報「許可」、放送時間「午後７：００〜午前０：００」、放送局「すべての地上デジタル放送のチャンネル」及び番組の種類「ドラマ」を設定情報ＤＢ１２２に記憶する。ＣＰＵ１１は設定情報ＤＢ１２２から設定情報を読み込む。
【００４２】
ＣＰＵ１１は所定の日数の番組表５１をチューナ１６から取得し、ＲＡＭ１３上に展開している。所定の日数とは例えば８日である。ＣＰＵ１１は番組表５１に所定の第１特殊文字が含まれているか否かを判定する。所定の第１特殊文字とは例えば、四角い枠で囲まれた新である。ＣＰＵ１１は番組表５１の番組欄５２Ｂにおけるシリーズ番組の番組情報に特殊文字５３Ｂが含まれていると判定する。ＣＰＵ１１は特殊文字５３Ｂを含む番組欄５２Ｂのシリーズ番組の「タイトルＢ」、「１２月１０日」、「午後２：００〜２：５８」、「放送局Ｂ」、「出演者Ｂ」及び「ドラマ」を取得し、シリーズ番組情報ＤＢ１２１に記憶する。ＣＰＵ１１は放送局Ｂにおいて「１２月１０日  午後２：００〜２：５８」にシリーズ番組「タイトルＢ」の録画の予約を行う。
【００４３】
ＣＰＵ１１は計時部１７で計時された時刻に基づいて現在の時刻「午後２：００」が予約したシリーズ番組内の番組を放送する放送日時「１２月１０日  午後２：００〜２：５８」であると判定する。ＣＰＵ１１は予約したシリーズ番組「タイトルＢ」をＨＤＤ１８１又は光ディスクに録画する。
【００４４】
番組表５１には放送局Ｂにおいて「１２月１１日  午後２：００〜２：５８」がある。このため、ＣＰＵ１１は放送局Ａにおいて「１２月１１日  午後２：００〜２：５８」にシリーズ番組「タイトルＢ」の録画の予約を行う。ＣＰＵ１１は以上の処理を繰り返し、シリーズ番組の予約の解除を行うまでシリーズ番組「タイトルＢ」の録画の予約を行う。
【００４５】
ＣＰＵ１１は上記と同様の処理により、シリーズ番組「タイトルＡ」の録画の予約を行う。ＣＰＵ１１は計時部１７で計時された時刻に基づいて現在の日時「１２月１０日  午後１：００」が予約したシリーズ番組内の番組を放送する放送日時「１２月１０日  午後１：００〜１：５８」であると判定する。ＣＰＵ１１は予約したシリーズ番組「タイトルＡ」をＨＤＤ１８１又は光ディスクに録画する。
【００４６】
ＣＰＵ１１は番組表５１に所定の第２特殊文字が含まれているか否かを判定する。所定の第２特殊文字とは例えば、四角い枠で囲まれた終である。ＣＰＵ１１は番組表５１の番組欄５２Ｂにおけるシリーズ番組の番組情報に特殊文字５３Ａが含まれていると判定する。ＣＰＵ１１は特殊文字５３Ａを含む番組欄５２Ａの「タイトルＡ」、「１２月１０日」、「午後１：００〜１：５８」、「放送局Ａ」、「出演者Ａ」及び「ドラマ」を取得し、シリーズ番組情報ＤＢ１２１に記憶する。ＣＰＵ１１は放送局Ｂにおいて「１２月１０日  午後１：００〜１：５８」にてシリーズ番組「タイトルＡ」の予約を解除する。すなわちＣＰＵ１１はシリーズ番組の予約の繰り返しを解除する。
【００４７】
なお、シリーズ番組の録画の予約は、所定の時間を経過した場合又は録画装置１の電源（図示せず）がＯＦＦにされた場合にも実行される。所定の時間とは例えば２４時間である。
【００４８】
図１０〜１１は本実施形態における情報処理システムの処理手順を示したフローチャートである。ＣＰＵ１１は選択画面２１の表示を受け付けたか否かを判定する（ステップＳ１１）。ＣＰＵ１１は選択画面２１の表示を受け付けなかったと判定した場合（ステップＳ１１：ＮＯ）、処理をステップＳ２９に移す。ＣＰＵ１１は選択画面２１の表示を受け付けたと判定した場合（ステップＳ１１：ＹＥＳ）、シリーズ番組情報ＤＢ１２１を参照し、選択画面２１を表示装置２に表示させる（ステップＳ１２）。ＣＰＵ１１はシリーズ番組の選択を受け付ける（ステップＳ１３）。ＣＰＵ１１は設定画面３１の表示を受け付けたか否かを判定する（ステップＳ１４）。
【００４９】
ＣＰＵ１１は設定画面３１の表示を受け付けなかったと判定した場合（ステップＳ１４：ＮＯ）、番組選択画面４１の表示を受け付けたか否かを判定する（ステップＳ１５）。ＣＰＵ１１は番組選択画面４１の表示を受け付けなかったと判定した場合（ステップＳ１５：ＮＯ）、処理をステップＳ１４に移す。ＣＰＵ１１は番組選択画面４１の表示を受け付けたと判定した場合（ステップＳ１５：ＹＥＳ）、受け付けたシリーズ番組の選択に基づいて番組選択画面４１を表示装置２に表示させる（ステップＳ１６）。ＣＰＵ１１は番組の選択を受け付ける（ステップＳ１７）。ＣＰＵ１１は受け付けた番組を表示装置２に再生させ（ステップＳ１８）、処理をステップＳ１１に移す。ＣＰＵ１１は設定画面３１の表示を受け付けたと判定した場合（ステップＳ１４：ＹＥＳ）、設定情報ＤＢ１２２を参照し、設定画面３１を表示装置２に表示させる（ステップＳ１９）。ＣＰＵ１１は設定情報の選択を受け付ける（ステップＳ２０）。ＣＰＵ１１は受け付けた設定情報を設定情報ＤＢ１２２に記憶する（ステップＳ２１）。
【００５０】
ＣＰＵ１１は設定情報ＤＢ１２２から設定情報を読み込む（ステップＳ２２）。ＣＰＵ１１は番組表５１に含まれるシリーズ番組に所定の第１特殊文字が含まれているか否かを判定する（ステップＳ２３）。所定の第１特殊文字とは例えば、四角い枠で囲まれた新である。ＣＰＵ１１は番組表５１に含まれるシリーズ番組に所定の第１特殊文字が含まれていないと判定した場合（ステップＳ２３：ＮＯ）、処理をステップＳ２６に移す。ＣＰＵ１１は番組表５１に含まれるシリーズ番組に所定の第１特殊文字が含まれていると判定した場合（ステップＳ２３：ＹＥＳ）、所定の第１特殊文字を含む番組情報を取得し、シリーズ番組情報ＤＢ１２１に記憶する（ステップＳ２４）。ＣＰＵ１１は取得した番組情報に基づいてシリーズ番組の予約を開始する（ステップＳ２５）。
【００５１】
ＣＰＵ１１は番組表５１に含まれるシリーズ番組に所定の第２特殊文字が含まれているか否かを判定する（ステップＳ２６）。所定の第２特殊文字とは例えば、四角い枠で囲まれた終である。ＣＰＵ１１は番組表５１に含まれるシリーズ番組に所定の第２特殊文字が含まれていないと判定した場合（ステップＳ２６：ＮＯ）、処理をステップＳ２９に移す。ＣＰＵ１１は取得した番組表５１に含まれるシリーズ番組に所定の第２特殊文字が含まれていると判定した場合（ステップＳ２６：ＹＥＳ）、所定の第２特殊文字を含む番組情報を取得し、シリーズ番組情報ＤＢ１２１に記憶する（ステップＳ２７）。ＣＰＵ１１は取得した番組情報に基づいてシリーズ番組の予約を解除する（ステップＳ２８）。
【００５２】
ＣＰＵ１１は前回のシリーズ番組の録画の予約から所定の時間が経過したか否かを判定する（ステップＳ２９）。所定の時間とは例えば２４時間である。ＣＰＵ１１は前回のシリーズ番組の録画の予約から所定の時間が経過したと判定した場合（ステップＳ２９：ＹＥＳ）、処理をステップＳ２２に移す。ＣＰＵ１１は前回のシリーズ番組の録画の予約から所定の時間が経過しなかったと判定した場合（ステップＳ２９：ＮＯ）、計時部１７で計時された現在の時刻が予約したシリーズ番組内の番組を放送する放送時間帯であるか否かを判定する（ステップＳ３０）。すなわち、ＣＰＵ１１は計時部１７で計時された現在の日時が予約したシリーズ番組内の番組が放送される日時であるか否かを判定する。ＣＰＵ１１は計時部１７で計時された現在の時刻が予約したシリーズ番組の放送時間帯でないと判定した場合（ステップＳ３０：ＮＯ）、処理をステップＳ１１に移す。ＣＰＵ１１は計時部１７で計時された現在の時刻が予約したシリーズ番組の放送時間帯であると判定した場合（ステップＳ３０：ＹＥＳ）、予約したシリーズ番組をＨＤＤ１８１又は光ディスクに録画し（ステップＳ３１）、処理をステップＳ２２に移す。
【００５３】
また、録画装置１の電源（図示せず）がＯＦＦにされた場合、ＣＰＵ１１はステップＳ２２〜２９の処理を行った後でプログラムを終了する。
【００５４】
一態様によれば、シリーズ番組の録画の予約を適切に行うことができる。また番組終了後に余分な番組を録画しないため、ユーザが録画の予約を解除する必要がなくなる。
【００５５】
一態様によれば、選択画面２１を表示させることで容易にシリーズ番組を選択することができるため、ユーザビリティが向上する。
【００５６】
一態様によれば、シリーズ番組の内、いずれか１つの番組を選択し、再生することができるため、関連する番組を即座に再生することができる。
【００５７】
なお、本実施形態の設定情報には出演者を含んでも良い。ＣＰＵ１１は設定情報に含まれる出演者に関するシリーズ番組の録画の予約を行うようにしてもよい。またＣＰＵ１１は取得した番組表５１に所定の第３特殊文字が含まれているか否かを判定してもよい。ＣＰＵ１１は取得した番組表５１に所定の第３特殊文字が含まれていた場合、シリーズ番組の録画の予約から除外する。所定の第３特殊文字とは例えば四角い枠で囲まれた再である。
【００５８】
実施の形態２
実施の形態２はシリーズ番組における第１話放送前又は放送終了等に関する関連メッセージを表示させる実施形態である。以下本発明の実施の形態２をその実施の形態を示す図面に基づいて詳述する。図１２はシリーズ番組情報ＤＢ１２１に格納されているデータの一例を示す図である。以下、特に説明する構成、作用以外の構成及び作用は実施の形態１と同等であり、簡潔のため記載を省略する。シリーズ番組情報ＤＢ１２１はさらにメッセージ列を備える。メッセージ列には関連メッセージが記憶される。関連メッセージとは例えば、第１話放送前に関する情報又は放送終了等である。第１話放送前に関する情報とは第１話の放送日である。放送終了とはシリーズ番組の放送が終了したことを示す。
【００５９】
ＣＰＵ１１は番組情報ＤＢ１２３を参照し、一部又は全部のシリーズ番組が録画されたか否かを判定する。ＣＰＵ１１は一部又は全部のシリーズ番組が録画されなかったと判定した場合、第１メッセージをメッセージ列に記憶する。ＣＰＵ１１は第２特殊文字を含む番組情報に対応する番組が放送されたと判定した場合、第２メッセージをメッセージ列に記憶する。
【００６０】
図１３は選択画面２１の一例を示す図である。選択画面２１はさらにシリーズ番組欄２１Ａの左上に設けられたメッセージ欄２５Ａ等で構成されるメッセージ欄２１５を備える。メッセージ欄２１５は関連メッセージを表示するための欄である。
【００６１】
選択画面２１の具体的な作用及び動作は以下の通りである。ＣＰＵ１１は番組情報ＤＢ１２３を参照し、シリーズ番組欄２１Ａのシリーズ番組が録画されたか否かを判定する。ＣＰＵ１１はシリーズ番組欄２１Ａのシリーズ番組が録画されたと判定する。ＣＰＵ１１は取得した番組表及び計時部１７で計時された時刻に基づいて現在の時刻が第１特殊文字を含む番組情報に対応する番組の最後の放送日時「１２月１７日  午後１：００〜午後１：５８」の経過後であるか否かを判定する。ＣＰＵ１１は現在の時刻がシリーズ番組「タイトルＡ」の最後の番組の放送時間帯の経過後であると判定する。ＣＰＵ１１は第２メッセージをメッセージ欄２５Ａに表示させる。第２メッセージとは例えば「放送終了」であり、放送終了に関する情報を含む。放送終了に関する情報とは例えば、放送終了時の時間等である。ＣＰＵ１１は計時部１７で計時された時刻に基づいて現在の時刻がシリーズ番組「タイトルＢ」の最初の番組の放送日時「１２月１０日  午後２：００〜午後２：５８」の経過前であると判定する。ＣＰＵ１１は第１メッセージを左上のサムネイルに表示させる。第１メッセージとは例えば放送日時であり、具体的には「１２月１０日」である。
【００６２】
図１４は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１２の処理を終了した後、シリーズ番組情報ＤＢ１２１を参照し、取得した番組表５１及び計時部１７で計時した時刻に基づいて現在の時刻が第１特殊文字を含む番組情報に対応する番組の放送日時の経過前であるか否かを判定する（ステップＳ３２）。すなわち、ＣＰＵ１１は番組表５１及び計時部１７で計時した時刻に基づいて所定の第１特殊文字が含まれるシリーズ番組が放送される前であるか否かを判定する。ＣＰＵ１１は現在の時刻が第１特殊文字を含む番組情報に対応する番組の放送日時の経過前でないと判定した場合（ステップＳ３２：ＮＯ）、処理をＳ１３に移す。ＣＰＵ１１は現在の時刻が第１特殊文字を含む番組情報に対応する番組の放送日時の経過前であると判定した場合（ステップＳ３２：ＹＥＳ）、第１メッセージを選択画面２１に表示させる（ステップＳ３３）。
【００６３】
ＣＰＵ１１は計時部１７で計時された時刻に基づいて現在の時刻が第２特殊文字を含む番組情報に対応する番組の放送日時の経過後であるか否かを判定する（ステップＳ３４）。ＣＰＵ１１は番組表５１及び計時部１７で計時した時刻に基づいて所定の第２特殊文字が含まれるシリーズ番組が放送された後であるか否かを判定する。ＣＰＵ１１は現在の時刻が第１特殊文字を含む番組情報に対応する番組の放送日時の経過後でないと判定した場合（ステップＳ３４：ＮＯ）、処理をステップＳ１３に移す。ＣＰＵ１１は現在の時刻が第１特殊文字を含む番組情報に対応する番組の放送日時の経過後であると判定した場合（ステップＳ３４：ＹＥＳ）、第２メッセージを選択画面２１に表示させ（ステップＳ３５）、処理をステップＳ１３に移す。
【００６４】
一態様によれば、ＣＰＵ１１は選択画面２１に関連メッセージを表示させる。このことによりユーザが番組の放送終了又は録画確定等の情報を即座に把握することができるため、一覧性が増す。
【００６５】
実施の形態３
実施の形態３はユーザによりシリーズ番組の予約を解除させる実施形態である。以下本発明の実施の形態３をその実施の形態を示す図面に基づいて詳述する。以下、特に説明する構成、作用以外の構成及び作用は実施の形態１と同等であり、簡潔のため記載を省略する。情報処理システムの具体的な作用及び動作は以下の通りである。ＣＰＵ１１はシリーズ番組の選択を受け付ける。ユーザが送信機３によりシリーズ番組２１Ａを選択する。ＣＰＵ１１はシリーズ番組２１Ａの予約の解除を受け付ける。ユーザは送信機３によりシリーズ番組２１Ａの予約の解除を選択する。ＣＰＵ１１は受け付けたシリーズ番組２１Ａの予約を解除する。
【００６６】
図１５は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１３の処理を終了した後、シリーズ番組の予約の解除を受け付けたか否かを判定する（ステップＳ４１）。ＣＰＵ１１はシリーズ番組の予約の解除を受け付けなかったと判定した場合（ステップＳ４１：ＮＯ）、処理をステップＳ１４に移す。ＣＰＵ１１はシリーズ番組の予約の解除を受け付けたと判定した場合（ステップＳ４１：ＹＥＳ）、受け付けたシリーズ番組の予約を解除し（ステップＳ４２）、処理をステップＳ１４に移す。
【００６７】
一態様によれば、ユーザによりシリーズ番組の予約を解除させることができるため、ユーザビリティが向上する。
【００６８】
実施の形態４
実施の形態４はユーザが再生しないシリーズ番組の予約を解除させる実施形態である。以下本発明の実施の形態４をその実施の形態を示す図面に基づいて詳述する。以下、特に説明する構成、作用以外の構成及び作用は実施の形態１と同等であり、簡潔のため記載を省略する。図１６は番組情報ＤＢ１２３に格納されているデータの一例を示す図である。番組情報ＤＢ１２３はさらに再生列を備える。再生列には番組を再生したか否かを示す再生情報が記憶される。再生列には例えば、「有り」又は「無し」が記憶される。「有り」とは番組を再生したことを示す。「無し」とは番組を再生しなかったことを示す。ＣＰＵ１１は番組を録画した場合、再生列に「無し」を記憶する。
【００６９】
情報処理システムの具体的な作用及び動作は以下の通りである。ＣＰＵ１１はシリーズ番組「タイトルＡ」の番組の内、最初の番組を録画してから所定の時間が経過したか否かを判定する。所定の時間とは例えば１０００時間である。ＣＰＵ１１はシリーズ番組「タイトルＡ」の番組１Ａを録画してから所定の時間が経過したと判定する。ＣＰＵ１１は、シリーズ番組情報ＤＢ１２１を参照し、シリーズ番組「タイトルＡ」のいずれか１つの番組を再生したか否かを判定する。ＣＰＵ１１はシリーズ番組「タイトルＡ」の全ての番組の再生列が「無し」であるため、シリーズ番組「タイトルＡ」を再生しなかったと判定する。ＣＰＵ１１はシリーズ番組「タイトルＡ」の予約を解除する。ＣＰＵ１１はシリーズ番組「タイトルＡ」の番組列の番組１Ａから１Ｈを消去する。
【００７０】
図１７は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１３の処理を終了した後、シリーズ番組内のいずれか１つの番組を録画してから所定の時間が経過したか否かを判定する（ステップＳ５１）。具体的にはＣＰＵ１１はシリーズ番組内の最初の番組を録画してから所定の時間が経過したか否かを判定する。所定の時間とは例えば１０００時間である。ＣＰＵ１１はシリーズ番組内のいずれか１つの番組を録画してから所定の時間が経過しなかったと判定した場合（ステップＳ５１：ＮＯ）、処理をステップＳ１４に移す。ＣＰＵ１１はシリーズ番組内のいずれか１つの番組を録画してから所定の時間が経過したと判定した場合（ステップＳ５１：ＹＥＳ）、シリーズ番組情報ＤＢ１２１を参照し、シリーズ番組内のいずれか１つの番組を再生したか否かを判定する（ステップＳ５２）。
【００７１】
ＣＰＵ１１はシリーズ番組内のいずれか１つの番組を再生したと判定した場合（ステップＳ５２：ＹＥＳ）、処理をステップＳ１４に移す。ＣＰＵ１１はシリーズ番組内のいずれか１つの番組を再生しなかったと判定した場合（ステップＳ５２：ＮＯ）、いずれか１つの番組を再生しなかったシリーズ番組の予約を解除する（ステップＳ５３）。ＣＰＵ１１はいずれか１つの番組を再生しなかったシリーズ番組の内、録画した番組を消去し（ステップＳ５４）、処理をステップＳ１４に移す。
【００７２】
ＣＰＵ１１はステップＳ１８の処理を終了した後、番組情報ＤＢ１２３の再生情報を「有り」に更新し（ステップＳ５５）、処理をステップＳ１１に移す。
【００７３】
一態様によれば、ユーザが再生しないシリーズ番組の予約を解除し、シリーズ番組の内、録画した番組を消去することで、録画した番組が記憶部１２に記憶する容量を超えることを防止できる。
【００７４】
実施の形態５
実施の形態５はシリーズ番組を一括で消去する実施形態である。以下本発明の実施の形態５をその実施の形態を示す図面に基づいて詳述する。以下、特に説明する構成、作用以外の構成及び作用は実施の形態１と同等であり、簡潔のため記載を省略する。図１８はシリーズ番組を一括で消去するための一括消去欄２１７を表示した選択画面２１の一例を示す図である。選択画面２１はさらに一括消去欄２１７を備える。一括消去欄２１７は左部に設けられた許可欄２１８及び右部に設けられた不許可欄２１９を備える。許可欄２１８はシリーズ番組を一括で消去することを許可するための欄である。不許可欄２１９はシリーズ番組を一括で消去することを許可しないための欄である。
【００７５】
選択画面２１の作用及び動作は以下の通りである。ユーザが送信機３によりシリーズ番組欄２１Ａを選択し、一括消去欄２１７を表示させる。ユーザが送信機３により不許可欄２１９を選択する。ＣＰＵ１１は一括消去欄２１７の表示を消去する。ユーザが送信機３により許可欄２１８を選択する。ＣＰＵ１１はシリーズ番組「タイトルＡ」の予約を解除する。ＣＰＵ１１は番組情報ＤＢ１２３からシリーズ番組「タイトルＡ」の内、録画した番組１Ａから１Ｈを消去する。
【００７６】
図１９は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１３の処理を終了した後、シリーズ番組の予約の解除を受け付けたか否かを判定する（ステップＳ６１）。ＣＰＵ１１はシリーズ番組の予約の解除を受け付けなかったと判定した場合（ステップＳ６１：ＮＯ）、処理をステップＳ１４に移す。ＣＰＵ１１はシリーズ番組の予約の解除を受け付けたと判定した場合（ステップＳ６１：ＹＥＳ）、受け付けたシリーズ番組の予約を解除する（ステップＳ６２）。ＣＰＵ１１は受け付けたシリーズ番組の内、録画した番組を消去し（ステップＳ６３）、処理をステップＳ１４に移す。
【００７７】
一態様によれば、シリーズ番組を一括で消去できるため、ユーザビリティが向上する。
【００７８】
実施の形態６
実施の形態６はシリーズ番組を一括で複製する実施形態である。以下本発明の実施の形態６をその実施の形態を示す図面に基づいて詳述する。以下、特に説明する構成、作用以外の構成及び作用は実施の形態１と同等であり、簡潔のため記載を省略する。図２０はシリーズ番組内の全ての番組を複製するための一括複製欄６１２を表示した選択画面２１の一例を示す図である。一括複製欄６１２は一括複製欄６１２の左部に設けられた光ディスクボタン６１４と、一括複製欄６１２の右部に設けられた記憶部ボタン６１５とを備える。一括複製欄６１２は複製先を選択するための欄である。光ディスクボタン６１４はシリーズ番組内の全ての番組の複製先を光ディスクにするための欄である。記憶部ボタン６１５はシリーズ番組内の全ての番組の複製先をＨＤＤ１８１にするための欄である。
【００７９】
番組選択画面４１の作用及び動作は以下の通りである。表示装置２がシリーズ番組「タイトルＡ」の番組選択画面４１を表示した場合、一括複製欄６１２の表示を受け付ける。ユーザが送信機３により一括複製欄６１２を表示装置２に表示させる。ユーザが送信機３により光ディスクボタン６１４を選択する。ＣＰＵ１１はシリーズ番組「タイトルＡ」内の番組１Ａから１Ｈを光ディスクに複製する。ユーザが送信機３により記憶部ボタン６１５を選択する。ＣＰＵ１１はシリーズ番組「タイトルＡ」内の番組１Ａから１ＨをＨＤＤ１８１に複製する。また各タイトルにチェックボックスを設けて個別に複製対象にするかどうかを選択できるようにしてもよい。
【００８０】
図２１は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１６の処理を終了した後、一括複製欄６１２の表示を受け付けたか否かを判定する（ステップＳ７１）。ＣＰＵ１１は一括複製欄６１２の表示を受け付けなかったと判定した場合（ステップＳ７１：ＮＯ）、処理をステップＳ１７に移す。ＣＰＵ１１は一括複製欄６１２の表示を受け付けたと判定した場合（ステップＳ７１：ＹＥＳ）、一括複製欄６１２を表示装置２に表示させる（ステップＳ７２）。
【００８１】
ＣＰＵ１１は送信機３から光ディスクへの複製の選択を受け付けたか否かを判定する（ステップＳ７３）。ＣＰＵ１１は送信機３から光ディスクへの複製の選択を受け付けたと判定した場合（ステップＳ７３：ＹＥＳ）、シリーズ番組内の全ての番組を光ディスクに複製し（ステップＳ７４）、処理をステップＳ１７に移す。ＣＰＵ１１は送信機３から光ディスクへの複製の選択を受け付けなかったと判定した場合（ステップＳ７３：ＮＯ）、ＨＤＤ１８１への複製の選択を受け付けたか否かを判定する（ステップＳ７５）。ＣＰＵ１１はＨＤＤ１８１への複製の選択を受け付けなかったと判定した場合（ステップＳ７５：ＮＯ）、処理をステップＳ７３に移す。ＣＰＵ１１はＨＤＤ１８１への複製の選択を受け付けたと判定した場合（ステップＳ７５：ＹＥＳ）、シリーズ番組内の全ての番組を記憶部１２に複製し（ステップＳ７６）、処理をステップＳ１７に移す。
【００８２】
一態様によれば、シリーズ番組を一括で複製できるため、ユーザビリティが向上する。
【００８３】
一態様の予約装置１０は、所定の周期で放送される一連の番組の録画を予約する予約装置１０において、前記一連の番組を特定するための番組表５１に含まれる一連の番組の番組情報に所定の第１特殊文字が含まれるか否かを判定する第１文字判定部と、該第１文字判定部が前記番組表５１に含まれる一連の番組の番組情報に所定の第１特殊文字が含まれると判定した場合、前記第１特殊文字が含まれる一連の番組の録画の予約を開始する予約開始部と、前記番組表５１に含まれる一連の番組の番組情報に所定の第２特殊文字が含まれるか否かを判定する第２文字判定部と、該第２文字判定部が前記番組表５１に含まれる一連の番組の番組情報に所定の第２特殊文字が含まれると判定した場合、前記第２特殊文字が含まれる一連の番組の録画の予約を解除する予約解除部とを備える。
【００８４】
一態様によれば、シリーズ番組の録画の予約を適切に行うことができる。また番組終了後に余分な番組を録画しないため、ユーザが録画の予約を解除する必要がなくなる。
【００８５】
一態様の予約装置１０は、複数の一連の番組の名称を表示させる番組表示部を備える。
【００８６】
一態様によれば、番組の名称を表示させることで容易にシリーズ番組を選択することができるため、ユーザビリティが向上する。
【００８７】
一態様の予約装置１０は、前記番組表５１に含まれる一連の番組の番組情報及び時計部１７で計時した時刻に基づいて所定の第１特殊文字が含まれる一連の番組が放送される前であるか否かを判定する第１判定部と、前記番組表５１に含まれる一連の番組の番組情報及び時計部１７で計時した時刻に基づいて所定の第２特殊文字が含まれる一連の番組が放送された後であるか否かを判定する第２判定部とを備え、前記番組表示部は、前記第１判定部で所定の第１特殊文字が含まれる一連の番組が放送される前であると判定した場合、第１話放送前に関する情報を表示させ、前記第２判定部で所定の第２特殊文字が含まれる一連の番組が放送された後であると判定した場合、放送終了に関する情報を表示させる。
【００８８】
一態様によれば、ＣＰＵ１１は選択画面２１に関連メッセージを表示させる。このことによりユーザが番組の放送終了又は録画確定等の情報を即座に把握することができるため、一覧性が増す。
【００８９】
一態様の録画装置１は、予約装置１０と、前記一連の番組を録画する録画部と、該録画部で録画された一連の番組の内、いずれか１つの番組を再生させる再生部とを備える。
【００９０】
一態様によれば、シリーズ番組の内、いずれか１つの番組を選択し、再生することができるため、関連する番組を即座に再生することができる。
【００９１】
一態様の録画装置１は、前記録画部で録画した一連の番組の内、いずれか１つの番組を録画してからの時間を計時する計時部１７と、該計時部１７で計時した時間が所定の時間を超えたか否かを判定する時間判定部と、該時間判定部が前記計時部１７で計時した時間が所定の時間を超えたと判定した場合、前記再生部で前記録画部で録画した一連の番組の内、いずれか１つの番組を再生させたか否かを判定する再生判定部と、前記再生判定部で前記再生部で前記番組を再生させなかったと判定した場合、前記録画部で録画した一連の番組を消去する消去部とを備える。
【００９２】
一態様によれば、ユーザが再生しないシリーズ番組の予約を解除し、シリーズ番組の内、録画した番組を消去することで、録画した番組が記憶部１２に記憶する容量を超えることを防止できる。
【００９３】
一態様の録画装置１は、前記録画部で録画した一連の番組の消去又は複製を行う処理部を備える。
【００９４】
一態様によれば、シリーズ番組を一括で消去又は複製できるため、ユーザビリティが向上する。
【００９５】
一態様のプログラム１２Ｐは、所定の周期で放送される一連の番組の録画を予約する予約装置１０に用いられるプログラム１２Ｐにおいて、該予約装置１０に、前記一連の番組を特定するための番組表５１に含まれる一連の番組の番組情報に所定の第１特殊文字が含まれるか否かを判定し、前記番組表５１に含まれる一連の番組の番組情報に所定の第１特殊文字が含まれると判定した場合、前記第１特殊文字が含まれる一連の番組の録画の予約を開始し、前記番組表５１に含まれる一連の番組の番組情報に所定の第２特殊文字が含まれるか否かを判定し、前記番組表５１に含まれる一連の番組の番組情報に所定の第２特殊文字が含まれると判定した場合、前記第２特殊文字が含まれる一連の番組の録画の予約を解除する処理を実行させる。
【００９６】
一態様の予約方法は、所定の周期で放送される一連の番組の録画を予約する予約装置１０における予約方法において、前記一連の番組を特定するための番組表５１に含まれる一連の番組の番組情報に所定の第１特殊文字が含まれるか否かを判定し、前記番組表５１に含まれる一連の番組の番組情報に所定の第１特殊文字が含まれると判定した場合、前記第１特殊文字が含まれる一連の番組の録画の予約を開始し、前記番組表５１に含まれる一連の番組の番組情報に所定の第２特殊文字が含まれるか否かを判定し、前記番組表５１に含まれる一連の番組の番組情報に所定の第２特殊文字が含まれると判定した場合、前記第２特殊文字が含まれる一連の番組の録画の予約を解除する処理を実行させる。
【００９７】
以上の実施の形態で示された発明情報もしくは発明関連情報へのアクセスの許可又は禁止は例示であって、制限的なものではないと考えられるべきである。各判定処理後における発明情報もしくは発明関連情報の許可又は禁止は任意に入れ替えることができる。
【００９８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【００９９】
１  録画装置
１０  予約装置
１２Ｐ  プログラム
１７  計時部（時計部）
５１  番組表
【図１】
0006408385.tif 000002
【図２】
0006408385.tif 000003
【図３】
0006408385.tif 000004
【図４】
0006408385.tif 000005
【図５】
0006408385.tif 000006
【図６】
0006408385.tif 000007
【図７】
0006408385.tif 000008
【図８】
0006408385.tif 000009
【図９】
0006408385.tif 000010
【図１０】
0006408385.tif 000011
【図１１】
0006408385.tif 000012
【図１２】
0006408385.tif 000013
【図１３】
0006408385.tif 000014
【図１４】
0006408385.tif 000015
【図１５】
0006408385.tif 000016
【図１６】
0006408385.tif 000017
【図１７】
0006408385.tif 000018
【図１８】
0006408385.tif 000019
【図１９】
0006408385.tif 000020
【図２０】
0006408385.tif 000021
【図２１】
0006408385.tif 000022